(57)【特許請求の範囲】
【請求項１】
画像を形成する画像形成手段が搭載され、主走査方向に移動可能に保持されたキャリッジと、
前記キャリッジの主走査方向の両端部に配設された、駆動源で回転される駆動プーリ及び従動プーリと、
前記駆動プーリと従動プーリとの間に掛け回され、一部が前記キャリッジに取り付けられた牽引部材と、を備え、
前記キャリッジには、前記牽引部材を取付ける牽引部材取付け部と、組立て時に前記牽引部材取付け部から這い回される前記牽引部材を係止する係止部と、を有し、
前記牽引部材取付け部と前記係止部から這い回される前記牽引部材を案内する案内部を備えている
ことを特徴とする画像形成装置。
【請求項２】
前記係止部は、主走査方向において、一部分が前記キャリッジよりも外側に突出していることを特徴とする請求項１に記載の画像形成装置。
【請求項３】
前記係止部には切り欠き部が設けられていることを特徴とする請求項１又は２に記載の画像形成装置。
【請求項４】
前記係止部は前記牽引部材を挟み持つ部材であることを特徴とする請求項１に記載の画像形成装置。
【請求項５】
前記案内部は前記牽引部材取付け部よりも高さ方向で高い位置に設けられていることを特徴とする請求項１ないし４のいずれかに記載の画像形成装置。
【請求項６】
前記案内部は前記キャリッジに設けられていることを特徴とする請求項１ないし５のいずれかに記載の画像形成装置。
【請求項７】
前記キャリッジを案内するガイド部材を保持する部材を有し、
前記案内部は前記ガイド部材を保持する部材に設けられている
ことを特徴とする請求項１ないし６のいずれかに記載の画像形成装置。
【請求項８】
前記画像形成手段が液滴を吐出する液体吐出ヘッドであり、
前記キャリッジには、前記液体吐出ヘッドと、前記液体吐出ヘッドに液体を供給するヘッドタンクとが搭載され、
前記ヘッドタンクには装置本体側のメインタンクから液体供給チューブを介して前記液体が供給され、
前記液体供給チューブの移動を案内するチューブガイド部材を有し、
前記チューブガイド部材は前記案内部を兼ねている
ことを特徴とする請求項１ないし７のいずれかに記載の画像形成装置。
【発明の詳細な説明】
【技術分野】
【０００１】
本発明は画像形成装置に関し、特に画像形成手段をキャリッジに搭載した画像形成装置に関する。
【背景技術】
【０００２】
プリンタ、ファクシミリ、複写装置、プロッタ、これらの複合機等の画像形成装置として、例えばインク液滴を吐出する記録ヘッドを用いた液体吐出記録方式の画像形成装置としてインクジェット記録装置などが知られている。この液体吐出記録方式の画像形成装置は、記録ヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙などとも称される。）に対して吐出して、画像形成（記録、印字、印写、印刷も同義語で使用する。）を行なうものである。
【０００３】
なお、本願において、液体吐出方式の「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限るものではなく、吐出されるときに液体となるものであれば特に限定されるものではなく、例えば、ＤＮＡ試料、レジスト、パターン材料なども含まれる。また、「画像」とは平面的なものに限らず、立体的に形成されたものに付与された画像、また立体自体を３次元的に造形して形成された像も含まれる。
【０００４】
このような画像形成装置として、上述したように、画像形成手段である液体吐出ヘッドからなる記録ヘッドをキャリッジに搭載し、液体吐出ヘッドを主走査方向に移動走査し、媒体を主走査方向と直交する副走査方向に間歇的に移動させながら、記録ヘッドから液滴を吐出させて画像を形成するシリアル型画像形成装置が知られている。なお、以下の説明でも画像形成手段は液体吐出ヘッドである例で説明しているが、画像形成手段としては液体吐出ヘッドに限らず、その他の画像形成手段であっても本発明は同様に適用することができる。
【０００５】
シリアル型画像形成装置において、画像形成手段を搭載したキャリッジを主走査方向に移動走査する主走査機構（キャリッジ走査機構）として、駆動源と、駆動源に設けられた駆動プーリと、従動プーリと、駆動プーリと従動プーリとの間に掛け回された牽引部材としての無端状のタイミングベルトとを備え、キャリッジの一部をタイミングベルトに固定したものが一般的である（特許文献１、２）。
【先行技術文献】
【特許文献】
【０００６】
【特許文献１】特許第３７８７５１０号公報
【特許文献２】特開２００７−１５２６０５号公報
【発明の概要】
【発明が解決しようとする課題】
【０００７】
ところで、広幅の被記録媒体に画像を形成する画像形成装置にあっては、キャリッジの主走査距離が長くなり、牽引部材としてのタイミングベルトの長さも長くなる。また、このような広幅の画像形成に対応するための長尺の無端ベルトはコストが高くなることなどから、有端ベルトを使用することが考えられる。
【０００８】
このように、長尺の牽引部材を使用するキャリッジ走査機構を備える場合、キャリッジを装置本体に組み付ける過程において、牽引部材を組付けたキャリッジをガイド部材に通すとき、牽引部材がキャリッジ走査機構と干渉し、キャリッジ及び牽引部材の組付けの障害となり、牽引部材の組付けの作業性が悪くなるという課題がある。
【０００９】
本発明は上記の課題に鑑みてなされたものであり、長尺の牽引部材の組付け作業性を向上することを目的とする。
【課題を解決するための手段】
【００１０】
上記の課題を解決するため、本発明に係る画像形成装置は、
画像を形成する画像形成手段が搭載され、主走査方向に移動可能に保持されたキャリッジと、
前記キャリッジの主走査方向の両端部に配設された、駆動源で回転される駆動プーリ及び従動プーリと、
前記駆動プーリと従動プーリとの間に掛け回され、一部が前記キャリッジに取り付けられた牽引部材と、を備え、
前記キャリッジには、前記牽引部材を取付ける牽引部材取付け部と、組立て時に前記牽引部材取付け部から這い回される前記牽引部材を係止する係止部と、を有し、
前記牽引部材取付け部と前記係止部から這い回される前記牽引部材を案内する案内部を備えている
構成とした。
【発明の効果】
【００１８】
本発明に係る画像形成装置によれば、牽引部材をキャリッジに組付けた状態でキャリッジを装置本体の案内部材に組付けるとき、牽引部材を係止部に係止し、案内部にて案内して這い回すことができるので、長尺の牽引部材の組付け作業性が向上する。
【図面の簡単な説明】
【００１９】
【図１】本発明に係る画像形成装置としてのインクジェット記録装置の全体構成を示す外観斜視説明図である。
【図２】同装置のキャリッジ走査機構部の斜視説明図である。
【図３】本発明の第１実施形態におけるキャリッジのベルト取付け部のベルト取付け状態の正面説明図である。
【図４】同じくキャリッジのベルト取付け部の斜視説明図である。
【図５】同じくキャリッジのベルト取付け部の正面説明図である。
【図６】本発明の第１実施形の説明に供する斜視説明図である。
【図７】同じくキャリッジの背面側の説明図である。
【図８】同じく係止部の説明に供する斜視説明図である。
【図９】本発明の第２実施形態の説明に供する斜視説明図である。
【図１０】同じくキャリッジの背面側の説明図である。
【図１１】本発明の第３実施形態の説明に供するキャリッジ走査機構の斜視説明図である。
【図１２】本発明の第４実施形態の説明に供するキャリッジ走査機構の斜視説明図である。
【図１３】同じくキャリッジの背面側から見た説明図である。
【図１４】同じくキャリッジの側面側から見た説明図である。
【発明を実施するための形態】
【００２０】
以下、本発明の実施形態について添付図面を参照して説明する。本発明に係る画像形成装置としてのインクジェット記録装置の一例について図１及び図２を参照して説明する。なお、図１は同記録装置の全体構成を示す斜視説明図、図２は同じくキャリッジ走査機構部の斜視説明図である。
このインクジェット記録装置は、シリアル型インクジェット記録装置であり、装置本体１と、記録装置本体１を支持する支持台２とを備えている。
【００２１】
記録装置本体１の内部には、図示しない両側板にガイドロッド３及びガイドステー４が掛け渡され、これらのガイドロッド３及びガイドステー４にキャリッジ５が矢示Ａ方向に摺動可能に保持されている。
【００２２】
キャリッジ５には、例えば、ブラック（Ｋ）、イエロー（Ｙ）、マゼンタ（Ｍ）、シアン（Ｃ）の各色のインク滴を吐出する液体吐出ヘッドからなる記録ヘッド６が搭載されている。各記録ヘッド６には図示しないが、各記録ヘッドにインクを供給するヘッドタンクが一体的に備えられている。
【００２３】
そして、キャリッジ５を移動走査する主走査機構部１０は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回された有端の牽引部材であるタイミングベルト１４とを備えている。なお、従動プーリ１３は、図示しないテンションスプリングによって外方（駆動プーリ１２に対して離れる方向）にテンションが架けられている。
【００２４】
このキャリッジ５における主走査領域のうち、記録領域では、用紙２０が吸引搬送部７によってキャリッジ５の主走査方向と直交する方向（副走査方向、用紙搬送方向：矢示Ｂ方向）に間欠的に搬送される。
【００２５】
また、主走査領域のうち一方の端部側領域には、記録ヘッド６の維持回復を行う維持回復機構８が配置されている。さらに、主走査方向のキャリッジ移動領域外又は、上記主走査領域のうち他方の端部側領域には、記録ヘッド６のヘッドタンクに後述する液体供給チューブであるインクチューブ６１を介して供給する各色のインクを収容したメインタンクであるメインカートリッジ９が記録装置本体１に対して着脱自在に装着される。
【００２６】
また、給紙手段２１には、ロール紙（以下「用紙」という。）２０がセットされているが、幅方向のサイズが異なるロール紙がセット可能である。給紙手段２１から搬送された用紙２０は、装置後方から前方に向けて、図示しない搬送手段により記録領域へ搬送される。そして、キャリッジ５を主走査方向に移動し、用紙１０を間欠的に送りながら、記録ヘッド６を画像情報に応じて駆動して液滴を吐出させることによって、用紙２０上に所要の画像が形成される。さらに、画像形成後の用紙２０は、所定の長さにカットされ、装置正面側に配置された図示しない排紙トレイへ排出される。
【００２７】
次に、このインクジェット記録装置におけるキャリッジのベルト取付け部の一例について図３ないし図５を参照して説明する。なお、図３は同ベルト取付け状態の正面説明図、図４は同じくキャリッジのベルト取付け部の斜視説明図、図５は同じくキャリッジのベルト取付け部の正面説明図である。
【００２８】
キャリッジ５の背面（記録ヘッド６を配置する側を前面とする）には有端のタイミングベルト１４の端部部分１４Ａ、１４Ｂを取付ける牽引部材取付け部（牽引部材連結部）３０が設けられている。
【００２９】
このベルト取付け部３０には、タイミングベルト１４の凹凸部１４ａと係合する凹凸部が設けられた第１係合部３１と、第１係合部３１から連続し、第１係合部３１の配置方向と交わる方向に設けられた第２係合部３２とを有する。ここでは、第１係合部３１は主走査方向に沿って形成され、第２係合部３２は主走査方向に対して鋭角に折り返す方向に形成している。
【００３０】
また、第２係合部３２はタイミングベルト１４を嵌め込む溝形状としている。なお、第２係合部３２には第１係合部３１と同一直線状でなければよく、また、第１係合部３１も主走査方向に対して所要の角度を持つ方向に形成されていてもよい。
【００３１】
そして、第１係合部３１と第２係合部３２との間には、タイミングベルト１４を第２係合部３２から第１係合部３１に案内するガイド部３３、３３が形成されている。なお、ガイド部３３、３３間はタイミングベルト１４の端部部分１４Ａ、１４Ｂ間を仕切る隔壁部を兼ねている。
【００３２】
また、第１係合部３１への入口部分には、タイミングベルト１４が第１係合部３１の凹凸部３１ａから離間する方向に移動するのを規制する係合補助部３４が設けられている。
【００３３】
このように構成したので、図３に示すように、タイミングベルト１４の端部部分１４Ａ、１４Ｂを第１係合部３１及び第２係合部３２に嵌め込み、タイミングベルト１４の凹凸部１４ａを凹凸部３１ａに嵌め合わせることで、タイミングベルト１４をベルト取付け部３０に取り付けることができる。このように、タイミングベルト１４の端部部分１４Ａ、１４Ｂを第１係合部３１及び第２係合部３２に嵌め込むだけで取り付けることができるので、有端のタイミングベルトのキャリッジへの組み付けを容易に行なうことができる。
【００３４】
そして、キャリッジ５の主走査移動のためにタイミングベルト１４が例えば図３で矢示方向に引かれるとき、タイミングベルト１４と第１係合部３１の凹凸係合と、第１係合部３１と第２係合部３２間での折り返しによって、タイミングベルト１４の端部部分１４Ａが第１係合部３１及び第２係合部３２から抜けることはなく、タイミングベルトは各自にキャリッジに保持される。さらに、係合補助部３４によってタイミングベルト１４が第１係合部２１の凹凸部３１ａから離間する方向への移動が規制されているので、より確実に抜けが防止される。
【００３５】
なお、本発明を実施するキャリッジ走査機構の牽引部材取付け部は上記の構成に限るものではない。
【００３６】
このようなキャリッジ走査機構において、キャリッジ５を装置本体のガイド部材であるガイドロッド３に取付けるとき、例えば、図２のガイドロッド３の一端部Ｅ１（又は他端部Ｅ２）からキャリッジ５の軸受部５ａを通し、キャリッジ５をガイドロッド３に沿って移動させて、キャリッジ５からタイミングベルト１４を外し、ガイドロッド３の一端部Ｅ１付近に配設された駆動プーリ１２にタイミングベルト１４の一端側を組み付け、ガイドロッド３の他端部Ｅ２付近に配設された従動プーリ１３に他端側を組み付ける。
【００３７】
このタイミングベルト１４の組付け過程において、キャリッジ５を摺動させるときに、ベルト取付け部（牽引部材連結部）に固定させたタイミングベルト１４が長尺であるために、キャリッジ走査機構部１０の他の部材と干渉して、キャリッジ組付けの障害となることがある。
【００３８】
そこで、本発明ではキャリッジに係止部と案内部を設けることで、キャリッジに牽引部材の一部を保持してキャリッジ走査機構部１０の他の部材との干渉を低減する。
【００３９】
まず、本発明の第１実施形態について図６及び図７を参照して説明する。なお、図６は同実施形態の説明に供する斜視説明図、図７は同じくキャリッジの背面側の説明図である。
【００４０】
キャリッジ５の背面側には、ベルト取付け部３０が設けられている。本実施形態のベルト取付け部３０は、前述した例とは異なり、高さ方向で下側部分にタイミングベルト１４の端部を嵌め込む山型配置された嵌め込み部３０ａが形成されている。
【００４１】
そして、キャリッジ５の背面側には、組立て時にベルト取付け部３０から這い回されるタイミングベルト１４を係止する係止部４１と、ベルト取付け部３０と係止部４１から這い回されるタイミングベルト１４を案内する案内部である支持部４２とが設けられている。
【００４２】
係止部４１は、ベルト取付け部３０よりも高さ方向で高い位置であって、キャリッジ５の主走査方向の一端部側に設けられ、下方のベルト取付け部３０から這い回されたタイミングベルト１４を掛け回してキャリッジ５の主走査方向中央部側向けて案内する湾曲した形状に形成されている。
【００４３】
また、ベルト取付け部３０の接線の這い回しの屈曲形状部３０ｂと組立用係止部４１の屈曲形状が同一接線上にあり、かつ滑らかに屈曲している形状にすることで、タイミングベルト１４と組立用係止部４１の接触面積が広くなり、タイミングベルト１４への負担を軽減することができる。
【００４４】
この係止部４１は一部がキャリッジ５の外周面よりも突出して配置されている。これにより、キャリッジ５の正面（前面）側から係止部４１に係止されたタイミングベルト１４を見ることができて、正面側からでも容易にタイミングベルト１４を係止部１４から取り外すことができる。
【００４５】
また、係止部４１には、図８にも示すように、タイミングベルト１４が外れないようにフランジ部４１ａが設けられている。
【００４６】
さらに、係止部４１には、一部に作業者の指を入れることが可能な切り欠き部４１ａが設けられている。これにより、容易にタイミングベルト１４を組立用係止部４１から取り外すことができる。また、この切り欠き部４１ｂは、キャリッジ５の正面側からも見て確認できる位置に配置している。
【００４７】
また、係止部４１と主走査方向の反対側にはベルト取付け部３０及び係止部４１から這い回されるタイミングベルト１４を支持案内する支持部（案内部）４２を設けている。なお、支持部４２は複数設けることもできる。
【００４８】
この支持部４２はベルト取付け部３０よりも高さ方向で高い位置に設けられている。キャリッジ３を組み付ける過程において、タイミングベルト１４が干渉するおそれのあるキャリッジ走査機構１０の構成部材は、キャリッジ３の底面より低い位置にあるので、重力で垂れ下がるタイミングベルト１４をベルト取付け部３０よりも高い位置で支持することより、キャリッジ走査機構３０の構成部材との干渉を低減することができる。
【００４９】
このように構成したので、キャリッジ５の組付け時には、図６に示すように、キャリッジ５のベルト取付け部３０にタイミングベルト１４の両端部を取付け、タイミングベルト１４の一方の端部側を係止部４１に這い回して掛け回して支持部４２に支持させ、タイミングベルト１４の一方の端部側をそのまま這い回して支持部４２に支持させる。
【００５０】
そして、キャリッジ５の軸受部５ａをガイドロッド３の一端部側から嵌め込んでキャリッジ３を移動させるとき、タイミングベルト１４は係止部４１で係止され、支持部４２にて支持されているので、キャリッジ５の下側への垂れ下がりが防止され、キャリッジ５の移動を容易に行うことができる。その後、キャリッジ５を所要の位置にして、キャリッジ５の正面側から係止部４１で係止されているタイミングベルト１４を取り外して駆動プーリ１２に掛け回し、支持部４２で支持されているタイミングベルト１４を取り外して従動プーリ１３に掛け回すことができる。
【００５１】
このように、キャリッジには牽引部材を取付ける牽引部材取付け部と、組立て時に牽引部材取付け部から這い回される牽引部材を係止する係止部とを有し、牽引部材取付け部と係止部から這い回される牽引部材を案内する案内部を備えている構成とすることで、牽引部材をキャリッジに組付けた状態でキャリッジを装置本体の案内部材に組付けるとき、牽引部材を係止部に係止し、案内部にて案内して這い回すことができるので、長尺の牽引部材の組付け作業性が向上する。
【００５２】
次に、本発明の第２実施形態について図９及び図１０を参照して説明する。なお、図９は同実施形態の説明に供する斜視説明図、図１０は同じくキャリッジの背面側の説明図である。
【００５３】
本実施形態では、係止部４３は、所定の間隔で配置した２本の円筒状（円柱状を含む）部材４３ａ、４３ａで構成している。この係止部４３では、図９に示すように、２つの円筒状部材４３ａ、４３ａの隙間にタイミングベルト１４を挟みこむことで、タイミングベルト１４を係止する。また、タイミングベルト１４の取り外しを容易にするためには、キャリッジ５の正面側から見えるように、２つの円筒状部材４３ａ、４３ａの隙間に挟まれたタイミングベルト１４の一部１４ｂが、キャリッジ５の外周面から突出するように、タイミングベルト１４を２つの円筒状部材４３ａ、４３ａに挟み込むようにする。
【００５４】
本実施形態のように構成しても、前記第１実施形態と同様の作用効果を得ることができる。
【００５５】
次に、本発明の第３実施形態について図１１を参照して説明する。なお、図１１は同実施形態の説明に供するキャリッジ走査機構の斜視説明図である。
【００５６】
本実施形態では、キャリッジ走査機構１０のステー４に、支持部４２から這い回されたタイミングベルト１４を仮止めする仮止め部５０を設けている。この仮止め部５０は、折り畳まれたタイミングベルト１４を通す筒状部材５１と、筒状部材５１を通されたタイミングベルト１４を引っ掛ける引っ掛け部５２を設けている。これにより、タイミングベルト１４をキャリッジ走査機構１０のステー４側に仮止めすることができ、組付け過程でタイミングベルト１４が捩れることを防止でき、組付け性がより向上する
【００５７】
次に、本発明の第４実施形態について図１２及び図１３を参照して説明する。なお、図１２は同実施形態の説明に供するキャリッジ走査機構の斜視説明図、図１３は同じくキャリッジの背面側から見た説明図、図１４は同じくキャリッジの側面側から見た説明図である。
【００５８】
前述したように、キャリッジ５にはヘッドタンクを一体に備えた各記録ヘッド６が搭載されている。そして、図１２に示すように、ヘッドタンクにはインクカートリッジ９から液体供給チューブであるインクチューブ６１を介してインクが供給される。このインクチューブ６１は、装置本体１の上方から見て、略Ｃ形状になるように撓ませて一端部がキャリッジ５に取り付けられている。
【００５９】
ここで、キャリッジ５付近のインクチューブ６１がキャリッジ５の移動範囲内に垂れ下がることを防止するため、インクチューブ６１を案内するチューブガイド部材６２がガイドステー４から突出して設けられている。
【００６０】
一方、キャリッジ５は、チューブガイド部材６２に対応する凹部４７が形成されている。この凹部４７に、タイミングベルト１４を係止する係止部４５が形成されている。なお、係止部４５は、キャリッジ５と一体成型している。また、係止部４５は、成形が容易で、コストが廉価になる矩形状としている。
【００６１】
本実施形態では、前記実施形態と異なり、図１３に示すように、タイミングベルト１４の端部部分１４Ａ、１４Ｂから延びるタイミングベルト１４をまとめて係止部４５に係止する。
【００６２】
ここでは、係止部４５は、キャリッジ５の背面側から見て右側に１つだけ形成している。これは、本実施形態では、図１２において、右側からキャリッジ５を組付けて左側に移動させてタイミングベルト１４を運ぶためである。したがって、図１２において、左側から右側に移動させる場合は、キャリッジ５の背面から見て左側に係止部４５を形成すればよい。
【００６３】
また、図１４に示すように、係止部４５とキャリッジ５の凹部４７の上側壁面との間には、係止させた２枚重ねの状態のタイミングベルト１４を案内可能な間隔を形成するように、チューブガイド部材６２が配置されている。この間隔は、キャリッジ５を図１２において右側から左側に向けて移動してタイミングベルト１４を運んでいるときに、タイミングベルト１４が捩れない間隔に設定している。
【００６４】
そこで、上述したように、キャリッジ５を図１２において右側から左側に移動させることで、タイミングベルト１４は、チューブガイド部材６２で案内されながら、左側に運ばれるので、キャリッジ５からタイミングベルト１４を外し、駆動プーリ１２にタイミングベルト１４の一端側を組み付け、従動プーリ１３に他端側を組み付ける。
【００６５】
このように、チューブガイド部材６２がインクチューブ６１の垂れ下がり防止機能とタイミングベルト１４の案内機能の両方を兼ねる構成とすることで、キャリッジ５側の係止部の構成を簡易にすることができる。
【００６６】
なお、牽引部材としてはタイミングベルトの他、ワイヤやＳＵＳ板などを用いることもできる。また、上記実施形態では有端の牽引部材を用いた例で説明しているが、無端の牽引部材を用いる場合でも同様に適用することができる。
【００６７】
また、前記キャリッジのベルト取付け部にかかる構成は、例えば画像読取り装置の読取りヘッドを移動走査する部分にも適用することができる。
【符号の説明】
【００６８】
１  装置本体
５  キャリッジ
６  記録ヘッド
１０  キャリッジ走査機構部
１１  駆動モータ
１２  駆動プーリ
１３  従動プーリ
１４  タイミングベルト（牽引部材）
３０  ヘッド取付け部（連結部）
４１  組付用係止部
４２  支持部（案内部）
４５  係止部
５０  仮止め部
６１  インクチューブ（液体供給チューブ）
６２  チューブガイド部材
【図１】
0005838595.tif 000002
【図２】
0005838595.tif 000003
【図３】
0005838595.tif 000004
【図４】
0005838595.tif 000005
【図５】
0005838595.tif 000006
【図６】
0005838595.tif 000007
【図７】
0005838595.tif 000008
【図８】
0005838595.tif 000009
【図９】
0005838595.tif 000010
【図１０】
0005838595.tif 000011
【図１１】
0005838595.tif 000012
【図１２】
0005838595.tif 000013
【図１３】
0005838595.tif 000014
【図１４】
0005838595.tif 000015